(57)【要約】【課題】家庭内で使用された水や熱などを循環させることができる循環システムを提供する。【解決手段】循環システム１Ｃは、複数の機器に水等を供給する配管を有する給水システム、複数の機器が使用した水等を外部へ排出する配管を有する排水システム、複数の機器により使用された後の水または温水に対して浄化処理を行う第1浄化ユニット１５Ｃ，第２浄化ユニット２５Ｃ（浄化処理部）、浄化水等を一時的に各機器で使用された水毎にそれぞれ貯めておく第１貯水タンク１７Ｃ、第２貯水タンク２７Ｃ（貯水部）、これらのタンクを介して給水システム等へ浄化処理がなされた水等をそれぞれに供給するパイプ１８Ｃ，２９Ｃ（循環部）、浄化処理の際に所定のレベルで浄化がなされなかった水等を排水システムにそれぞれに供給する排水用流路４７Ｃ，９７Ｃ（排出部）を有する浄化循環システム３００Ｃを有する。【選択図】図１５
2018015750.tif 000002
【特許請求の範囲】
【請求項１】
建築物内に設置された複数の機器に水または温水を供給するための配管を有する給水システムおよび給湯システムと、
前記複数の機器にて使用された前記水または前記温水を前記建築物の外へ排出するための配管を有する排水システムと、
前記複数の機器により使用された後の前記水または前記温水に対して浄化処理を行う浄化処理部と、前記浄化処理部により浄化処理がなされた前記水または前記温水を一時的に各機器で使用された水または温水毎にそれぞれ貯めておく貯水部と、前記貯水部を介して給水システムおよび給湯システムへ前記浄化処理がなされた水または温水をそれぞれ供給する循環部と、前記浄化処理部の浄化処理の際に所定のレベルで浄化がなされなかった前記水または前記温水を前記排水システムにそれぞれ供給する排出部とを有する浄化循環システムと
を有することを特徴とする循環システム。
【請求項２】
キッチンシステム、バス・シャワーシステム、トイレシステムの給水システム・給湯システムを少なくとも備えた循環システムであって、
前記キッチンシステムに水を供給するキッチンシステム用水供給部と、
前記キッチンシステムで使用された前記水を排出するキッチンシステム使用水排出部と、
前記キッチンシステム使用水排出部により排出された前記水を第１の所定のレベルまで浄化するキッチンシステム用水浄化部と、
前記キッチンシステム用水浄化部により浄化された前記水を貯めておく第１の貯水部と、
前記第１の貯水部に貯めてある水を前記キッチンシステム用水供給部へ搬送して循環させるキッチンシステム用浄化水循環部と、
バス・シャワーシステムへ水を供給するバス・シャワーシステム用水供給部と、
前記バス・シャワーシステムで使用された前記水を排出するバス・シャワーシステム使用水排出部と、
前記バス・シャワーシステム用水排出部により排出された前記水を第２の所定のレベルまで浄化するバス・シャワーシステム用水浄化部と、
前記バス・シャワーシステム用水浄化部により浄化された前記水を貯めておく第２の貯水部と
前記第２の貯水部に貯めてある水を前記バス・シャワーシステム用水供給部へ搬送して循環させるバス・シャワーシステム用浄化水循環部と、を有し、
前記第１の貯水部と前記第２の貯水部とは物理的に異なる容器により構成されると共に、前記第1の貯水部内の浄化された水は、前記キッチンシステム用および前記トイレシステムにて使用され、
前記第２の貯水部内の浄化された水は、前記バス・シャワーシステム、トイレシステムにて使用される、
ことを特徴とする循環システム。
【請求項３】
請求項２に記載の循環システムであって、
前記第１の貯水手段は、
前記キッチンシステム用水浄化手段により浄化された後の水または温水を一時的に溜めておくと共に、前記水または前記温水が所定の量に達した場合に、排水することが可能な第一の排水流路部を有している
ことを特徴とする循環システム。
【請求項４】
請求項２または３に記載の循環システムであって、
前記第２の貯水手段は、
前記バス・シャワーシステム用水浄化手段により浄化された後の水または温水を一時的に溜めておくと共に、前記水または前記温水が所定の量に達した場合に、排水することが可能な第二の排水流路部を有している
ことを特徴とする循環システム。
【請求項５】
建築物内に設置された複数の機器に水または温水を供給するための給水部および給湯部から前記水または温水を供給するとともに、前記複数の機器にて使用された前記水または前記温水を前記建築物の外へ排出するための排出部に前記水または温水を排出する水循環装置であって、
前記複数の機器により使用された後の前記水または前記温水に対して浄化処理を行う浄化処理部と、
前記浄化処理部により浄化処理がなされた前記水または前記温水を一時的に各機器で使用された水または温水毎にそれぞれ貯めておく貯水部と、
前記貯水部を介して前記給水部および給湯部へ前記浄化処理がなされた水または温水をそれぞれ供給する循環部と、
前記浄化処理部の浄化処理の際に所定のレベルで浄化がなされなかった前記水または前記温水を前記汚水排出部にそれぞれ供給する排出部とを有する水循環装置。
【請求項６】
建築物内に設置された複数の機器に水または温水を供給するための給水部および給湯部から前記水または温水を供給するとともに、前記複数の機器にて使用された前記水または前記温水を前記建築物の外へ排出するための排出部に前記水または温水を排出する水循環装置の制御方法であって、
前記複数の機器により使用された後の前記水または前記温水に対して浄化処理を行う浄化処理ステップと、
前記浄化処理ステップにより浄化処理がなされた前記水または前記温水を貯水部に一時的に各機器で使用された水または温水毎にそれぞれ貯めておく貯水ステップと、
前記給水部および給湯部へ、前記貯水ステップを経た前記浄化処理がなされた水または温水をそれぞれ供給する循環ステップと、
前記浄化処理ステップにおける浄化処理の際に所定の浄化レベルに満たなかった前記水または前記温水を前記排出部にそれぞれ供給する排出ステップとを有する水循環装置の制御方法。
【発明の詳細な説明】
【技術分野】
【０００１】
本発明は、家庭内で一度使用された水や、一度使用された水の熱などを効率的に再利用することができる循環システム、水循環装置および水循環装置の制御方法に関する。
【背景技術】
【０００２】
従来、家庭内で一度使用された水を再利用することが可能なシステムが知られている。たとえば特許文献１には、一般家庭等で使用した上水の排水及び雨水を、水洗トイレの洗浄水等に使用するように構成し、節水を図ることのできる排水再利用システムが開示されている。
【０００３】
また、特許文献２では、トイレや工場などの排水発生源から発生する排水を再生させ、トイレで再び利用することができる排水再生システムが開示されている。
【先行技術文献】
【特許文献】
【０００４】
【特許文献１】特開平８−１９７７３号公報
【特許文献２】特開２０００−１３５４９８公報
【発明の概要】
【発明が解決しようとする課題】
【０００５】
しかしながら、特許文献１に開示されるシステムは、水を水道水の品質と同等、またはそれ以上の品質レベルで浄化させ、循環させるものではない。また、浄化、循環させた水を災害、断水時などの非常の際に備蓄用の水として活用できるものではない。また、家庭内で一度使用された水の熱を再度有効に活用できるものではない。また、家庭内で少なくとも一度使用された水をトイレ以外、たとえば、キッチン、洗濯機、洗面所、お風呂などで循環させて再利用できるものではない。
【０００６】
また、特許文献２に開示されるシステムは、再生水を生成する排水処理装置、この排水処理装置で再生された再生水を貯蔵する貯蔵容器と、この貯蔵容器に中の再生水を排水発生源に給水する給水手段、貯水容器中の再生水を排水処理装置に循環させる循環路とを備えている。この特許文献２に開示されるシステムでは家庭の風呂場やキッチンから排出される雑水を排水源とみなして適用させることが可能である。そのため、家庭内で使用した水を水道水の品質と同等、またはそれ以上の品質レベルで浄化させ、循環させることは可能であるが、あくまでもトイレなどに再利用する構成となっており、それ以外のもの（たとえば、風呂、キッチンなど）では再利用する構成となっていない。また、この特許文献２に開示されるシステムでは、浄化、循環させた水を災害、断水時などの非常の際に備蓄用の水として活用できるものではない。また、この特許文献２に開示されるシステムでは、家庭内で一度使用された排水の熱を有効に活用するものではない。また、この特許文献２に開示されるシステムでは、水道水の品質と同等、またはそれ以上の品質レベルで浄化させたとしても、一度使用された水を再利用するにあたって、利用者の心理的な抵抗を極力排除するような工夫については一切言及されていない。
【０００７】
本発明は、上述した課題の少なくとも１つに鑑みてなされてものであり、家庭内で一度使用された水や、一度使用された水の熱などを効率的に再利用することができる循環システムおよび循環方法を提供することを目的とする。
【課題を解決するための手段】
【０００８】
上述した課題を解決するために、本発明の循環システムは、建築物内に設置された複数の機器に水または温水を供給するための配管を有する給水システムおよび給湯システムと、複数の機器にて使用された水または温水を建築物の外へ排出するための配管を有する排水システムと、複数の機器により使用された後の水または温水に対して浄化処理を行う浄化処理部と、浄化処理部により浄化処理がなされた水または温水を一時的に各機器で使用された水または温水毎にそれぞれ貯めておく貯水部と、貯水部を介して給水システムおよび給湯システムへ浄化処理がなされた水または温水をそれぞれ供給する循環部と、浄化処理部の浄化処理の際に所定のレベルで浄化がなされなかった水または温水を排水システムにそれぞれ供給する排出部とを有する浄化循環システムとを有することを特徴とする。
【０００９】
また、本発明の循環システムは、キッチンシステム、バス・シャワーシステム、トイレシステムの給水システム・給湯システムを少なくとも備えた循環システムであって、キッチンシステムに水を供給するキッチンシステム用水供給部と、キッチンシステムで使用された水を排出するキッチンシステム使用水排出部と、キッチンシステム使用水排出部により排出された水を第１の所定のレベルまで浄化するキッチンシステム用水浄化部と、キッチンシステム用水浄化部により浄化された水を貯めておく第１の貯水部と、第１の貯水部に貯めてある水をキッチンシステム用水供給部へ搬送して循環させるキッチンシステム用浄化水循環部と、バス・シャワーシステムへ水を供給するバス・シャワーシステム用水供給部と、バス・シャワーシステムで使用された水を排出するバス・シャワーシステム使用水排出部と、バス・シャワーシステム用水排出部により排出された水を第２の所定のレベルまで浄化するバス・シャワーシステム用水浄化部と、バス・シャワーシステム用水浄化部により浄化された水を貯めておく第２の貯水部と第２の貯水部に貯めてある水をバス・シャワーシステム用水供給部へ搬送して循環させるバス・シャワーシステム用浄化水循環部と、を有し、第１の貯水部と第２の貯水部とは物理的に異なる容器により構成されると共に、第1の貯水部内の浄化された水は、キッチンシステム用およびトイレシステムにて使用され、第２の貯水部内の浄化された水は、バス・シャワーシステム、トイレシステムにて使用されることを特徴とする。
【００１０】
また、本発明の循環システムは、上述した循環システムであって、第１の貯水手段は、キッチンシステム用水浄化手段により浄化された後の水または温水を一時的に溜めておくと共に、水または温水が所定の量に達した場合に、排水することが可能な第一の排水流路部を有していることを特徴とする。
【００１１】
また、本発明の循環システムは、上述したいずれかの循環システムであって、第２の貯水手段は、バス・シャワーシステム用水浄化手段により浄化された後の水または温水を一時的に溜めておくと共に、水または温水が所定の量に達した場合に、排水することが可能な第二の排水流路部を有していることを特徴とする。
【００１２】
また、本発明の他の側面は水循環装置に関するものである。すなわち、建築物内に設置された複数の機器に水または温水を供給するための給水部および給湯部から水または温水を供給するとともに、複数の機器にて使用された水または温水を建築物の外へ排出するための排出部に水または温水を排出する水循環装置であって、複数の機器により使用された後の水または温水に対して浄化処理を行う浄化処理部と、浄化処理部により浄化処理がなされた水または温水を一時的に各機器で使用された水または温水毎にそれぞれ貯めておく貯水部と、貯水部を介して給水部および給湯部へ浄化処理がなされた水または温水をそれぞれ供給する循環部と、浄化処理部の浄化処理の際に所定のレベルで浄化がなされなかった水または温水を汚水排出部にそれぞれ供給する排出部とを有することを特徴とする。
【００１３】
また、本発明の水循環装置の循環方法は、建築物内に設置された複数の機器に水または温水を供給するための給水部および給湯部から水または温水を供給するとともに、複数の機器にて使用された水または温水を建築物の外へ排出するための排出部に水または温水を排出する水循環装置の制御方法であって、複数の機器により使用された後の水または温水に対して浄化処理を行う浄化処理ステップと、浄化処理ステップにより浄化処理がなされた水または温水を貯水部に一時的に各機器で使用された水または温水毎にそれぞれ貯めておく貯水ステップと、給水部および給湯部へ、貯水ステップを経た浄化処理がなされた水または温水をそれぞれ供給する循環ステップと、浄化処理ステップにおける浄化処理の際に所定の浄化レベルに満たなかった水または温水を排出部にそれぞれ供給する排出ステップとを有することを特徴とする。
【発明の効果】
【００１４】
本発明は、家庭内で一度使用された水や、一度使用された水の熱などを効率的に再利用することができる循環システム、水循環装置および水循環装置の制御方法を提供することができる。
【図面の簡単な説明】
【００１５】
【図１】本発明の第１実施の形態に係る循環システムが組み込まれた建築物としての住宅を示す斜視図である。
【図２】図１に示す循環システムのうち、給水システム・給湯システムのみを示す斜視図である。
【図３】図１に示す循環システムのうち、排水システムのみを示す斜視図である。
【図４】図１に示す循環システムのうち、浄化循環システムのみを示す斜視図である。
【図５】図１に示す循環システムが組み込まれた住宅のキッチンシステム，バス・シャワーシステム，トイレシステムそれぞれの関係を説明するための図である。
【図６】図５に示したキッチンシステム，バス・シャワーシステム，トイレシステムの循環系にのみ着目した模式図である。
【図７】図５および図６に示す排水トラップ部、第１浄化ユニットの一例を説明するための図である。
【図８】図７に示す第１浄化ユニットの構造を説明するための図である。
【図９】図５および図６に示す、第２浄化ユニットの一例を説明するための図である。
【図１０】本発明の第２実施の形態に係る循環システムのうち、浄化循環システムを示す図である。
【図１１】図１０に示すキッチンシステム，バス・シャワーシステム，トイレシステムそれぞれの関係を説明するための図である。
【図１２】図１０に示したキッチンシステム，バス・シャワーシステム，トイレシステムの循環系にのみ着目した模式図である。
【図１３】図１２に示す循環システムの変形例を示す図である。
【図１４】本発明の第３実施の形態に係る循環システムのうち、浄化循環システムを示す図である。
【図１５】図１４に示すキッチンシステム，バス・シャワーシステム，トイレシステムそれぞれの関係を説明するための図である。
【図１６】図１４に示したキッチンシステム，バス・シャワーシステム，トイレシステムの循環系にのみ着目した模式図である。
【００１６】
以下、図面を参照しながら本発明の実施の形態に係る循環システムについて説明する。しかしながら、本発明の循環システムは、以下に説明する各実施の形態に限定されるものではない。
【００１７】
（第１実施形態）
まず、本発明の第１実施形態について説明する。図１は、本発明の第１実施の形態に係る循環システム１Ａが組み込まれた建築物としての住宅を示す斜視図である。図２は、図１に示す循環システム１Ａのうち、給水システム１００Ａと給湯システム１０１Ａを示す斜視図である。図３は、図１に示す循環システム１Ａのうち、排水システム２００Ａのみを示す斜視図である。図４は、図１に示す循環システム１Ａのうち、浄化循環システム３００Ａのみを示す斜視図である。図５は、図１に示す循環システム１Ａが組み込まれた住宅のキッチンシステム１０Ａ，バス・シャワーシステム２０Ａ，トイレシステム３０Ａそれぞれの関係を説明するための図である。図６は、図５に示したキッチンシステム１０Ａ，バス・シャワーシステム２０Ａ，トイレシステム３０Ａの循環系にのみ着目した模式図である。
【００１８】
この住宅に組み込まれた循環システム１Ａは、キッチンシステム１０Ａ，バス・シャワーシステム２０Ａ，トイレシステム３０Ａを有している。また、この循環システム１Ａには、図１〜図３に示すように、給水システム１００Ａと、給湯システム１０１Ａと、排水システム２００Ａと、浄化循環システム３００Ａとが含まれている。給水システム１００Ａは、水道水を各機器へ提供するためのものである。給湯システム１０１Ａは、水道水を給湯器４０で所望の温度まで熱して各機器へ提供するためのものである。排水システム２００Ａは、各機器で使用した水をこの住宅の外部へと排水するためのものである。図３に示す浄化循環システム３００Ａは、請求項の水循環装置の一例であり、キッチンシステム１０Ａにて一度使用された水（汚水）に所定の浄化処理を行った後に、キッチンシステム１０Ａにて循環させて再度利用可能にするためのものである。キッチンシステム１０Ａで一度使用され、浄化された水はバス・シャワーシステム２０Ａでも再び利用することが可能となっている。なお、バス・シャワーシステム２０Ａにて使用されると、更にそれを浄化した水が最終的にトイレシステム３０Ａにて利用することができるように構成されている。なお、以下の実施例１〜３においては、本発明を備えた建築物として住宅を例にして説明する。しかし、キッチン、バス・シャワー、トイレを備える住宅以外の建築物、たとえば長期滞在型ホテル、オフィス、学校施設、病院、寮や老人ホームなどにも適用可能である。以下、各要素について具体的に説明する。
【００１９】
（キッチンシステム１０Ａおよび第１貯水タンク１７Ａの説明）
まず、キッチンシステム１０Ａおよび第１貯水タンク１７Ａについて説明する。キッチンシステム１０Ａは、図５および図６に示すように、水供給部１１Ａと、キッチン部１２Ａと、排水トラップ部１３Ａと、第１貯排水タンク部１４Ａと、第１浄化ユニット１５Ａと、パイプ１６Ａとを有している。また、このキッチンシステム１０Ａは第１貯水タンク１７Ａと接続されている。この第１貯水タンク１７Ａには第１浄化ユニット１５Ａにより浄化された水（第１浄化水）を一時的に貯めることができる。第１貯水タンク１７Ａは床下に固定するための金具、温度調整のためのヒーター、各種センサ、水を搬送するための動力源などを備えている。
【００２０】
水供給部１１Ａは、請求項のキッチンシステム用水供給部、給水部、給湯部の一例である。水供給部１１Ａは、キッチンシステム１０Ａに給水システム１００Ａまたは給湯システム１０１Ａから提供される水道水、あるいは第１貯水タンク１７Ａから提供される第１浄化水を供給する。水供給部１１Ａは、たとえば、紫外線照射（ＵＶ照射）機能を備えた蛇口等で構成される。キッチン部１２Ａは、シンク、排水溝などを有する。排水トラップ部１３Ａは、請求項のキッチン使用水排出部の一例である。排水トラップ部１３Ａは、キッチンシステム１０Ａで使用された水または第１浄化水を排出する。なお、排水管をＳ字に屈曲させた排水トラップ部１３Ａと第１貯排水タンク部１４Ａがあるが、室内には排水トラップ部１３Ａだけを設けてもよい。そして第１貯排水タンク部１４Ａと第１浄化ユニット１５Ａを第１貯水タンク１７Ａに隣接する形で設置したり、一体的に設置するような構造でも良い。こうすることで室内空間に第１貯排水タンク部１４Ａを設置することが不要になるとともに、床下に第１貯排水タンク部１４Ａから第１貯水タンク１７Ａまでを配置できるため、スペース確保につながる。第１浄化ユニット１５Ａの各フィルタの交換部のみ室内と隣接させておけば、簡単にフィルタ交換ができるという効果も失われることがない。
【００２１】
キッチン部１２Ａおよび排水トラップ部１３Ａの具体的な構成例を図７に示す。キッチン部１２Ａは、キッチン使用水排出部の一例である排水溝４２Ａおよび排水管４３Ａとを備えている。排水トラップ部１３Ａは、一般的なキッチンの排水管をＳ字に屈曲させたトラップ部（Ｓ型トラップ部）のように排水経路の途中に水が溜まる構成になっているのに加え、後述の第１浄化ユニット１５Ａに汚水を供給する際の第１貯排水タンク部１４Ａを有する。第１貯排水タンク部１４Ａは、第１浄化ユニット１５Ａに接続される。第１浄化ユニット１５Ａからにて浄化された第１浄化水は、浄化循環システム３００Ａへと接続される浄化水用流路４６Ａへと供給され、浄化の過程で浄化されなかった水または温水については、排水システム２００Ａへと接続される排水用流路４７Ａへと供給される。なお、排水トラップ部１３Ａのトラップ部は、排水の方向、排水口の種類などに応じてＰ型トラップ、Ｕ型トラップ、ドラムトラップ、わんトラップなどに適宜変更することができる。
【００２２】
第１貯排水タンク部１４Ａは、請求項の貯排水部、第１貯排水部の一例である。第１貯排水タンク部１４Ａは、使用後の水（汚水）がキッチンへ逆流するのを防ぐため、ある程度の水量を一時的にためておくことができる緩衝部の役割を果たすものである。このキッチンシステム１０Ａにおける排水は、第１浄化ユニット１５Ａを通過して排水される。そのため、このキッチンシステム１０Ａにおける排水は、フィルタがない状態で水を排出するよりも時間がかかる構成となっている。そこで、使用後の水がキッチンシステム１０Ａに貯まることによって利用者に排水詰まりと勘違いさせないために、キッチン部１２Ａと第１浄化ユニット１５Ａとの間に第１貯排水タンク部１４Ａを設けている。これによって、使用後の水は第１貯排水タンク部１４Ａに流入し、第１浄化ユニット１５Ａでの浄化にかかる時間にかかわらず、利用者にとっては使用後の水がきちんと排出されていると感じさせることができる。また、キッチン部１２Ａと第１浄化ユニット１５Ａとを直接接続させる構成と比較すると、使用後の水がキッチン部１２Ａに逆流するのを低減させることができる。なお、第１貯排水タンク部１４Ａの上部には排水用流路４５Ａが設けられている。第１貯排水タンク部１４Ａがキッチン部１２Ａからの排水で満杯もしくはタンク容量の９割など所定の水量以上（あるいは所定の水位以上）になった場合は、汚水がこの排水用流路４５Ａから排出され、キッチン部１２Ａに汚水が逆流することを防止することができる。なお、第１貯排水タンク部１４Ａの大きさは任意であるが、キッチン使用時に用いられる水の量に応じて設計されることで、緩衝部としての役割を十分に果たすことができる。なお、第１貯排水タンク部１４Ａは、使用後の汚水が流入するために汚れることが予想される。そのため、第１貯排水タンク部１４Ａはキッチン部１２Ａ、第１浄化ユニット１５Ａおよび排水用流路４５Ａに対して着脱可能であるとともに、内部の清掃ができるように開閉する構造となっていることが望ましい。
【００２３】
第１浄化ユニット１５Ａは、請求項の浄化処理部、キッチン使用水浄化部の一例である。第１浄化ユニット１５Ａは、キッチン部１２Ａにより排出された水を所定のレベル（たとえば、キッチンシステム１０Ａとバス・シャワーシステム２０Ａの両方で再利用することが可能なレベル）まで浄化する。第１浄化ユニット１５Ａは、たとえば、ＲＯ膜（逆浸透膜）などを用いたカートリッジ型のフィルタ等で構成される。なお、ここでいう所定のレベルとは、たとえば、水道水の基準として厚生労働省が定めている５１項目の基準値に相当するレベルもしくはそれ以上のレベルである。しかしながら、この所定のレベルは、国の法律、条令、その他規則に応じて変化するものである。その場合、第１浄化ユニット１５Ａが有するフィルタなどのレベルを適宜変更させて対応させることができる。
【００２４】
第１浄化ユニット１５Ａの具体的な構成例を図８に示す。第１浄化ユニット１５Ａは、筒状のカートリッジ８１内に複数のフィルタが卷回されているものであり、たとえば、外周から順番に、不織布フィルタユニットや活性炭フィルタユニットと、逆浸透膜フィルタユニットなどの二層以上からなる構成となる。本実施例においては、第１浄化ユニット１５Ａの外周から内部方向へ順に、第１のフィルタ部の一例である不織布フィルタユニット８２、第２のフィルタ部の一例である活性炭フィルタユニット８３、第３のフィルタ部の一例である逆浸透膜フィルタユニット８４を配置する。このとき、不織布フィルタユニット８２は人毛や赤サビなど目に見えるゴミの除去を、活性炭フィルタユニット８３は残留塩素、でんぷん、カルキ臭など１ミクロン以上の物質や臭いを、そして逆浸透膜フィルタユニット８４は化学物質や細菌など１０００分の１ミクロン程度の不純物を除去する。これらのフィルタによって、ユニット内部に水が進むにつれて、不織布フィルタユニット８２によってキッチン排水中の比較的大きなゴミを濾過し、活性炭フィルタユニット８３によって中程度の不純物を、逆浸透膜フィルタユニット８４によって目に見えない程度の微小なゴミを濾過し、最終的に中心部８５に浄化水を集めることが可能である。これにより、大きいゴミは不織布、小さいゴミは活性炭、化学物質はＲＯ膜というように、ゴミの大きさに応じて各フィルタで効率的に濾過できる。この結果、中心部８５に到達した浄化水は浄化循環システム３００Ａへと接続される浄化水用流路４６Ａへと供給され、中心部８５まで到達できなかった水または温水（汚水）については、排水システム２００Ａへと接続される排水用流路４７Ａへと供給される。なお、各フィルタユニットは第１浄化ユニット１５Ａに対してそれぞれ独立に着脱可能であり、使用者がいずれか一方を簡単に交換できる構成であるものとする。また第１浄化ユニット１５Ａは図５にあるように室内に配置されるため、ユーザーが第１浄化ユニット１５Ａの各フィルタを簡単に交換可能である。
【００２５】
図５に戻り、パイプ１６Ａは、請求項のキッチン用浄化水循環部の一例である。パイプ１６Ａは、第１浄化ユニット１５Ａにて浄化された水を第１貯水タンク１７Ａに搬送するためのものである。
【００２６】
第１貯水タンク１７Ａは、第１浄化水を貯めておく容器である。第１貯水タンク１７Ａ内の第１浄化水は、パイプ１８Ａにより、キッチンシステム１０Ａにて循環利用させるか、後述のバス・シャワーシステム２０Ａにて再利用される。第１貯水タンク１７Ａには、床下に固定するための金具、温度調整のためのヒーター、各種センサ、水を搬送するための動力源などを備えている。
【００２７】
パイプ１８Ａは、請求項のキッチン用浄化水循環部の一例である。パイプ１８Ａは、第１貯水タンク１７Ａに貯めてある第１浄化水を水供給部１１Ａへ搬送してキッチンシステム１０Ａ内を循環させるためのものである。パイプ１９Ａは、請求項のバス・シャワー用浄化水循環部の一例である。パイプ１９Ａは、第１貯水タンク１７Ａに貯めてある第１浄化水を、後述するバス・シャワーシステム２０Ａへと搬送して、第１浄化水を再利用させるためのものである。
【００２８】
以上で説明したように、このキッチンシステム１０Ａでは第１浄化ユニット１５Ａにより、給水システム１００Ａまたは給湯システム１０１Ａから供給される水道水の品質と同等、またはそれ以上の品質レベルで浄化し、第１貯水タンク１７Ａへ一時的に貯めることができる。そして、第１貯水タンク１７Ａ内の第１浄化水は、不図示のポンプによりパイプ１６Ａを通って水供給部１１Ａまたは、パイプ１８Ａを通ってバス・シャワーシステム２０Ａ用の水供給部（後述の水供給部２１Ａ）へと搬送される。このような構成により、キッチンシステム１０Ａでは給水システム１００Ａまたは給湯システム１０１Ａから提供される水道水、あるいは第１貯水タンク１７Ａから供給される第１浄化水を利用することができる。
【００２９】
（バス・シャワーシステム２０Ａおよび第２貯水タンク２７Ａの説明）
続いて、バス・シャワーシステム２０Ａおよび第２貯水タンク２７Ａについて説明する。バス・シャワーシステム２０Ａは、図５および図６に示すように、水供給部２１Ａ、バス・シャワー部２２Ａ、水排出部２３Ａ、第２貯排水タンク部２４Ａ、第２浄化ユニット２５Ａ、およびパイプ２６Ａを有している。また、このバス・シャワーシステム２０Ａは、第２貯水タンク２７Ａと接続されている。なお、第２貯水タンク２７Ａには、不図示であるが、第２貯水タンク２７Ａを床下に固定するための金具、温度調整のためのヒーター、各種センサ、水を搬送するための動力源などが備えられている。
【００３０】
水供給部２１Ａは、請求項のバス・シャワー使用水供給部、給水部、給湯部の一例である。水供給部２１Ａは、バスまたはシャワーへ給水システム１００Ａからの水、給湯システム１０１Ａからの温水または第１貯水タンク１７Ａに貯めてある第１浄化水を供給する。バス・シャワー部２２Ａは、浴槽、シャワーなどを有している。水排出部２３Ａは、請求項のバス・シャワー用水排水部の一例である。水排出部２３Ａは、バス・シャワー部２２Ａで使用された汚水を排出し、第２貯排水タンク部２４Aへ供給する。第２貯排水タンク部２４Ａは、請求項の第２貯排水部の一例である。第２貯排水タンク部２４Ａは、バス・シャワー部２２Ａで使用された汚水を一時的にためておくタンクである。これは、後述の第２浄化ユニット２５Ａでの浄化に時間がかかるため、バス・シャワー部２２Ａで使用された汚水をいったん第２貯排水タンク部２４Ａに貯め、徐々に第２浄化ユニット２５Ａで浄化する。また、浄化された水は第２貯水タンク２７Ａに貯蔵される。このとき、第２貯排水タンク部２４Ａおよび第２貯水タンク２７Ａにはそれぞれ排水溝が設置されており、満杯になりそうな時、例えばタンク容量９割に達した時に、流入してくる汚水を直接排水することでタンクが満杯になることを防いでいる。
【００３１】
第２浄化ユニット２５Ａは、請求項の浄化処理部、トイレ用水浄化部の一例である。第２浄化ユニット２５Ａは、水排出部２３Ａにより排出された汚水を所定のレベル（トイレで再利用可能なレベル）まで浄化する。なお、ここでいう所定のレベルとは、たとえば、水道水の基準として厚生労働省が定めている５１項目の基準値に相当するレベルもしくはそれ以上のレベルが好ましいが、いわゆる中水に求められる程度のレベルであってもよい。第２浄化ユニット２５Ａは、図８で示した、第１浄化ユニット１５Ａと同じように、筒状のカートリッジ８１内に複数のフィルタが卷回されているものであり、たとえば、本実施例においては、筒状のカートリッジ８１の外周側から順番に、不織布フィルタユニット８２、活性炭フィルタユニット８３、逆浸透膜（ＲＯ膜）フィルタユニット８４から成る構成となる。なお、各フィルタユニットは第２浄化ユニット２５Ａに対してそれぞれ独立に着脱可能であり、使用者がいずれか一方を簡単に交換できる構成であるものとする。なお、第２貯排水タンク部２４Ａ、第２浄化ユニット２５Ａ、第２貯水タンク２７Ａは、一体的に形成されているか隣接して配置されていることが好ましい。そうすることで浴室という限られたスペースを有効活用することができる。しかしながら、第２貯排水タンク部２４Ａ、第２浄化ユニット２５Ａ、第２貯水タンク２７Ａの配置の関係は、建築物のタイプ、形状、用途などに応じて適宜変更することができる。
【００３２】
第２浄化ユニット２５Ａの具体的な取り付け例および構成例について図９に示す。なお、第２浄化ユニット２５Ａは、図８で説明した第１浄化ユニット１５Ａと同様の構造であるため、詳細な説明は省略する。図９に示すように、バス・シャワーシステム２０Ａは、水供給部２１Ａの一例であるシャワー９１と、水排出部２３Ａの一例である排水溝９２および排水管９３と、第２貯排水タンク部２４Ａの一例である貯排水タンク部９４と、第２浄化ユニット２５Ａの一例である浄化カートリッジ９５と、循環用パイプ９６と排水用パイプ９７と、排水用流路９８が備えられている。バス・シャワー部２２やシャワー９１にて利用された水や温水は、排水溝９２および排水管９３に集められ、貯排水タンク部９４に一時的に貯められる。そして、貯排水タンク部９４に貯められた水や温水は、貯排水タンク部９４の底部に接続された浄化カートリッジ９５にて浄化される。浄化された水（第2浄化水）は、循環用パイプ９６を介して第２貯水タンク２７Ａへと搬送される。一方、浄化カートリッジ９５で浄化できなかったゴミや汚水などは、排水用パイプ９７を介して排水システム２００Ａへと搬送される。なお、貯排水タンク部９４がバス・シャワー部２２Ａからの排水で満杯もしくはタンク容量の９割など所定の水量以上（あるいは所定の水位以上）になった場合は、汚水が排水用流路９８から排出され、浴室やバスの浴槽などに汚水が逆流することを防止することができる。
【００３３】
このバス・シャワーシステム２０Ａでは、給水システム１００Ａおよび給湯システム１０１Ａから供給される水道水と、第１貯水タンク１７Ａから供給される第１浄化水を使用することができる。バス・シャワーシステム２０Ａで使用された水または温水は、給水システム１００Ａおよび給湯システム１０１Ａから供給される水道水の品質と同等、またはそれ以上の品質レベルで浄化し、第２貯水タンク２７Ａへ一時的に貯める。第２貯水タンク２７Ａ内の第２浄化水は、不図示のポンプにより水供給部３１Ａに搬送される。トイレシステム３０Ａでは、給水システム１００Ａおよび給湯システム１０１Ａから提供される水道水、または第２貯水タンク２７Ａから搬送される第２浄化水が利用される。
【００３４】
（トイレシステム３０Ａの説明）
最後にトイレシステム３０Ａについて説明する。トイレシステム３０Ａは、図５および図６に示すように、水供給部３１Ａと、水排出部３２Ａと排水管３３Ａとを有している。このトイレシステム３０Ａには、給水システム１００Ａおよび給湯システム１０１Ａから提供される水道水のほか、第２貯水タンク２７Ａの第２浄化水を利用することができる。
【００３５】
水供給部３１Ａは、請求項のトイレ用水供給部の一例である。水供給部３１Ａは、給水システム１００Ａおよび給湯システム１０１Ａから提供される水道水、第２貯水タンク２７Ａの第２浄化水を供給することができる。水排出部３２Ａおよび排水管３３Ａは、請求項のトイレ使用水排出部の一例である。水排出部３２Ａおよび排水管３３Ａは、トイレで使用された水を排水システム２００Ａへと排出する。
【００３６】
このトイレシステム３０Ａでは、給水システム１００Ａおよび給湯システム１０１Ａから水道水が供給されると共に、第２貯水タンク２７Ａからも第２浄化水が供給される構成となっている。トイレシステム３０Ａで使用された水は、排水システム２００Ａに供給されて、汚水として排出される。なお、このトイレシステム３０Ａの水供給部３１Ａへは第２貯水タンク２７Ａから第２浄化水を供給するようにしているが、第２浄化水に加えて第１貯水タンク１７Ａから第１浄化水を供給するように構成してもよい。あるいは、水供給部３１Ａへ第２浄化水を供給する代わりに、第１貯水タンク１７Ａから第１浄化水を供給するように構成してもよい。
【００３７】
（第１実施形態の効果）
以上で説明したように、この循環システム１Ａは、住宅内に設置された複数の機器に水または温水を供給するための配管を有する給水システム１００Ａおよび給湯システム１０１Ａと、給水システム１００Ａおよび給湯システム１０１Ａにより水または温水が提供された複数の機器が使用した水または温水を外部へ排出するための配管を有する排水システム２００Ａと、複数の機器により使用された後の水または温水に対して浄化処理を行う第１浄化ユニット１５Ａ（浄化処理部）と、第１浄化ユニットにより浄化処理がなされる前の水または温水を一時的に貯めておく第１貯排水タンク部１４Ａ（第１の貯排水部）と、浄化処理がなされた浄化水または浄化温水を一時的に貯めておく第１貯水タンク１７Ａ、（貯水部）と、第１貯水タンク１７Ａを介して各機器へ浄化水または浄化温水を供給でき、第１浄化ユニット１５Ａによる浄化処理の際に浄化が所定のレベルでなされなかった水または温水を排水システム２００Ａに供給する排出経路とを有する浄化循環システム３００Ａとを有するように構成したので、たとえば家庭内のキッチン、バス・シャワーなどで一度使用された水や温水の熱を効率的に再利用させることができる。
【００３８】
また、循環システム１Ａは、キッチンシステム１０Ａ、バス・シャワーシステム２０Ａ、トイレシステム３０Ａの給水システム１００Ａおよび給湯システム１０１Ａを少なくとも備えた住宅に適用可能であり、キッチン部１２Ａに水を供給する水供給部１１Ａと、水供給部１１Ａにより供給されて使用された水を排出する排水トラップ部１３Ａと、水供給部１１Ａにより供給されて使用された後の水を所定のレベルまで浄化する第１浄化ユニット１５Ａと、この第１浄化ユニット１５Ａにより浄化処理がなされる前の水または温水を一時的に貯めておく第１貯排水タンク部１４Ａと、第１浄化ユニット１５Ａにより浄化された第１浄化水を貯めておく第１貯水タンク１７Ａと、第１貯水タンク１７Ａに貯めてある第１浄化水を水供給部１１Ａへ搬送して循環させるパイプ１８Ａと、バス・シャワー部２２Ａへ水を供給する水供給部２１Ａと、バス・シャワー部２２Ａで使用された水を排出する水排出部２３Ａと、第１貯水タンク１７Ａに貯めてある第１浄化水を水供給部２１Ａへ搬送して循環させるパイプ１９Ａと、バス・シャワー部２２Ａで使用された後の水または温水を水排出部３２Ａで使用可能な所定のレベルまで浄化する第２浄化ユニット２５Ａと、第２浄化ユニット２５Ａにより浄化された第２浄化水を貯めておく第２貯水タンク２７Ａと、第２貯水タンク２７Ａより供給される第２浄化水を水排出部３２Ａに供給する水供給部３１Ａと、水排出部３２Ａで使用された水を排出する排水管３３Ａとを有するように構成している。これにより、循環システム１Ａは、キッチンシステム１０Ａのキッチン部１２Ａにて一度使用された水や熱は再度キッチンシステム１０Ａのキッチン部１２Ａにて循環させると共に、キッチンシステム１０Ａのキッチン部１２Ａで使用後、浄化された水はバス・シャワーシステム２０Ａのバス・シャワー部２２Ａでも再利用可能となっている。そして、バス・シャワーシステム２０Ａのバス・シャワー部２２Ａにて使用されると、更にそれを浄化した水が最終的にトイレシステム３０Ａの水排出部３２Ａにて再利用することができるようになっている。
【００３９】
また、第１貯排水タンク部１４Ａは、第１浄化ユニット１５Ａにより浄化処理がなされる前の水または温水を排出するための排水用流路４５Ａを有し、この排水用流路４５Ａは、浄化処理がなされる前の水または温水が流入し、第１貯排水タンク部１４Ａ内の水位が所定の水位となった場合に排水されるようにしているので、第１貯排水タンク部１４Ａが満杯になってキッチン部１２Ａに使用後の水（汚水）が逆流することを防止することができる。
【００４０】
また、上述した循環システム１Ａでは、第２浄化ユニット２５Ａにより浄化処理がなされる前の水または温水を一時的に貯めておく第２貯排水タンク部２４Ａを有しているので、バス・シャワーシステム２０Ａで使用された水または温水をいったん貯めて、徐々に第２浄化ユニット２５Ａで浄化させることができるようになる。これにより、仮に第２浄化ユニット２５Ａの浄化処理性能の関係で浄化の時間がかかる場合であっても、浴室内から速やかに排水を行うことができる。
【００４１】
また、第１浄化ユニット１５Ａおよび第２浄化ユニット２５Ａは、本実施例においては、不織布フィルタユニット８２（第１のフィルタ）と、活性炭フィルタユニット８３（第２のフィルタ）と、逆浸透膜フィルタユニット８４（第３のフィルタ）の３つのフィルタを有している。そのため、キッチンシステム１０Ａまたはバス・シャワーシステム２０Ａで使用された水または温水は、不織布フィルタユニット８２において、人毛や赤サビなど目に見えるゴミなどが除去され、活性炭フィルタユニット８３において、残留塩素、でんぷん、カルキ臭など１ミクロン以上の物質や臭いが除去され、逆浸透膜フィルタユニット８４において化学物質や細菌など１０００分の１ミクロン程度の不純物の除去をすることができる。
【００４２】
また、第１浄化ユニット１５Ａおよび第２浄化ユニット２５Ａが有する各々のフィルタは、それぞれが着脱可能に構成されているので、ユーザーが各フィルタを簡単に交換することができる。
【００４３】
また、この浄化循環システム３００Ａは、建築物内に設置された複数の機器に水または温水を供給するための給水システム１００Ａ（給水部）および給湯システム１０１Ａ（給湯部）から水または温水を供給するとともに、複数の機器にて使用された水または温水を住宅の外へ排出するための汚水排出部に水または温水を排出する水循環装置と捉えることができる。すなわち、この浄化循環システム３００Ａは、複数の機器により使用された後の水または温水に対して浄化処理を行う第１浄化ユニット１５Ａ（浄化処理部）と、第１浄化ユニット１５Ａにより浄化処理がなされる前の水または温水を一時的に貯めておく第１貯排水タンク部１４Ａ（第１の貯排水部）と、第１貯排水タンク部１４Ａにより浄化処理がなされた後の浄化水または浄化温水を一時的に貯めておく第１貯水タンク１７Ａ（第１の貯水部）と、第１貯水タンク１７Ａを介して水供給部１１Ａ,２１Ａ（給水部および給湯部）へ浄化処理がなされた水または浄化温水を供給するパイプ１８Ａ,１９Ａ（循環部）と、第１浄化ユニット１５Ａの浄化処理の際に浄化が所定のレベルで浄化がなされなかった水または温水を排水システム２００Ａ（汚水排出部）に供給する排水用流路４７Ａ（排出部）とを有するので、この浄化循環システム３００Ａが組み込まれた住宅内のキッチン、バス・シャワーなどで一度使用された水や温水の熱を効率的に再利用させることができる。
【００４４】
また、この循環システム１Ａにて行われる循環方法は、複数の機器により使用された後の水または温水に対して浄化処理を行う浄化処理ステップと、この浄化処理ステップにより浄化処理がなされる前の水または温水を一時的に貯めておく第１の貯排水ステップと、浄化処理ステップにより浄化処理がなされた後の浄化水または浄化温水を一時的に貯めておく第１の貯水ステップと、第１の貯水ステップを介して各機器へ浄化水または浄化温水を供給し、浄化処理ステップの浄化処理の際に浄化が所定のレベルでなされなかった水または温水を排水システムに供給する排出ステップとを有しているので、たとえば家庭内のキッチン、バス・シャワーなどで一度使用された水や温水の熱を効率的に再利用させることができる。
【００４５】
（第２実施形態）
続いて、本発明の第２実施の形態について説明する。図１０は、本発明の第２実施の形態に係る循環システム１Ｂのうち、浄化循環システム３００Ｂを示す図である。図１１は、図１０に示すキッチンシステム１０Ｂ，バス・シャワーシステム２０Ｂ，トイレシステム３０Ｂそれぞれの関係を説明するための図である。図１２は、図１０に示したキッチンシステム１０Ｂ，バス・シャワーシステム２０Ｂ，トイレシステム３０Ｂの循環系にのみ着目した模式図である。この住宅に組み込まれた循環システム１Ｂは、キッチンシステム１０Ｂ，バス・シャワーシステム２０Ｂ，トイレシステム３０Ｂを有している。なお、この循環システム１Ｂには、図１で説明した給水システム１００Ａおよび給湯システム１０１Ａと排水システム２００Ａと同様の給水システム、給湯システムとが含まれるが、請求項の水循環装置の一例である浄化循環システム３００Ｂが図１で説明した浄化循環システム３００Ａとは構成が異なる。図１０に示す浄化循環システム３００Ｂでは、１つの貯水タンクを用いてキッチンシステム１０Ｂとバス・シャワーシステム２０Ｂにて利用されて浄化した水や温水を循環させる。浄化循環システム３００Ｂは、キッチンシステム１０Ｂにて一度使用された水や熱をキッチンシステム１０Ｂ内で浄化して効率的に循環させると共に、キッチンシステム１０Ｂおよびバス・シャワーシステム２０Ｂで使用して浄化した水は、キッチンシステム１０Ｂおよびバス・シャワーシステム２０Ｂで共用しつつ、再利用することができる。更に浄化した水または温水を最終的にトイレシステム３０Ｂにて再利用することができる。
【００４６】
（キッチンシステム１０Ｂおよび共用貯水タンク１７Ｂの説明）
まず、キッチンシステム１０Ｂおよび共用貯水タンク１７Ｂについて説明する。キッチンシステム１０Ｂは、水供給部１１Ｂと、キッチン部１２Ｂと、排水トラップ部１３Ｂと、第１貯排水タンク部１４Ｂと、第１浄化ユニット１５Ｂと、パイプ１６Ｂ、排水用流路４５Ｂ，４７Ｂとを有している。また、このキッチンシステム１０Ｂは共用貯水タンク１７Ｂと接続されている。なお、水供給部１１Ｂ、キッチン部１２Ｂ、排水トラップ部１３Ｂ、第１貯排水タンク部１４Ｂ、第１浄化ユニット１５Ｂ、パイプ１６Ｂ、排水用流路４５Ｂ，４７Ｂは、上述したキッチンシステム１０Ａにおける水供給部１１Ａ、キッチン部１２Ａ、排水トラップ部１３Ａ、第１貯排水タンク部１４Ａ、第１浄化ユニット１５Ａ、パイプ１６Ａ、排水用流路４５Ａ，４７Ａと同様の機能、構成であるため、これらの説明を省略する。
【００４７】
共用貯水タンク１７Ｂは、パイプ１６Ｂから供給される浄化水とパイプ２６Ｂから供給される浄化水を貯めておく容器である。また、共用貯水タンク１７Ｂは、パイプ１８Ｂを介してキッチンシステム１０Ｂへ、パイプ１９Ｂを介してバス・シャワーシステム２０Ｂへ浄化水をそれぞれ供給することで、水または熱を循環利用させることができる。共用貯水タンク１７Ｂには、床下に固定するための金具、温度調整のためのヒーター、各種センサ、水を搬送するための動力源などを備えている。また、共用貯水タンク１７Ｂは、排水用流路４５Ｂ，４７Ｂと同様の機能として、共用貯水タンク１７Ｂから逆流することを防止するための排水用流路４８Ｂを有している。
【００４８】
このキッチンシステム１０Ｂでは、第１浄化ユニット１５Ｂにより、給水システム、給湯システムから供給される水道水の品質と同等、またはそれ以上の品質レベルで浄化し、共用貯水タンク１７Ｂへ一時的に貯めることができる。そして、共用貯水タンク１７Ｂ内の浄化水を不図示のポンプによりキッチンシステム１０Ｂの水供給部１１Ｂ、または、バス・シャワーシステム２０Ｂ用の水供給部２１Ｂへ搬送することができる。キッチンシステム１０Ｂでは給水システム、給湯システムから提供される水道水、または共用貯水タンク１７Ｂから供給される浄化水を利用することができる。
【００４９】
（バス・シャワーシステム２０Ｂの説明）
続いて、バス・シャワーシステム２０Ｂについて説明する。バス・シャワーシステム２０Ｂは、水供給部２１Ｂと、バス・シャワー部２２Ｂと、水排出部２３Ｂと、第２貯排水タンク部２４Ｂと、第２浄化ユニット２５Ｂと、パイプ２６Ｂとを有している。また、このバス・シャワーシステム２０Ｂは、上述した共用貯水タンク１７Ｂと接続されている。なお、水供給部２１Ｂと、バス・シャワー部２２Ｂと、水排出部２３Ｂと、第２貯排水タンク部２４Ｂと、パイプ２６Ｂは、上述したバス・シャワーシステム２０Ａにおける水供給部２１Ａと、バス・シャワー部２２Ａと、水排出部２３Ａと、第２貯排水タンク部２４Ａと、パイプ２６Ａと同様の機能、構成であるため、これらの説明を省略する。
【００５０】
第２浄化ユニット２５Ｂは、水排出部２３Ｂにより排出された水を所定のレベル（キッチンシステム１０Ｂとバス・シャワーシステム２０Ｂの両方で再利用可能なレベル）まで浄化する。第２浄化ユニット２５Ｂは、たとえば、ＲＯ膜（逆浸透膜）を用いたカートリッジ型のフィルタ等で構成される。なお、ここでいう所定のレベルとは、たとえば、水道水の基準として厚生労働省が定めている５１項目の基準値に相当するレベルもしくはそれ以上のレベルである。しかしながら、この所定のレベルは、国の法律、条令、その他規則に応じて変化するものである。その場合、第２浄化ユニット２５Ｂが有するフィルタなどのレベルを適宜変更させて対応させることができる。
【００５１】
このバス・シャワーシステム２０Ｂでは、給水システム、給湯システムから供給される水道水と、共用貯水タンク１７Ｂから供給される浄化水を使用することができる。バス・シャワーシステム２０Ｂで使用された水または温水は、給水システム、給湯システムから供給される水道水の品質と同等、またはそれ以上の品質レベルで浄化し、パイプ２６Ｂを介して共用貯水タンク１７Ｂへ一時的に貯める。トイレシステム３０Ｂでは、給水システム、給湯システムから提供される水道水、または共用貯水タンク１７Ｂからパイプ２８Ｂを介して搬送される浄化水が利用される。
【００５２】
（トイレシステム３０Ｂの説明）
最後にトイレシステム３０Ｂについて説明する。トイレシステム３０Ｂは、水供給部３１Ｂと、水排出部３２Ｂ、排水管３３Ｂとを有している。このトイレシステム３０Ｂには、給水システム、給湯システムから提供される水道水のほか、共用貯水タンク１７Ｂの浄化水を利用することができる。なお、水供給部３１Ｂと水排出部３２Ｂと排水管３３Ｂは、上述したトイレシステム３０Ａの水供給部３１Ａと水排出部３２Ａと排水管３３Ａと同様の機能、構成であるため、説明を省略する。
【００５３】
このトイレシステム３０Ｂでは、給水システム、給湯システムから供給される水道水と、共用貯水タンク１７Ｂから供給される浄化水を使用することができる。トイレシステム３０Ｂで使用された水は、排水システムに供給されて、汚水として排出される。
【００５４】
（第２実施形態の変形例）
なお、図１３に示すように、キッチンシステム１０Ｂへ循環させるパイプ１８Ｂを有していない循環システム１Ｂとしてもよい。この循環システム１Ｂのように、キッチンでは水や熱を循環させずに、バス・シャワーシステム２０Ｂのみで循環させるような構成としてもよい。このような構成とすることにより、たとえば、バス・シャワー部２２Ｂで使用した水または温水をキッチン部１２Ｂで再利用することに心理的な抵抗がある利用者にとっては好ましい構成となる。
【００５５】
（第２実施形態の効果）
以上で説明したように、住宅内に設置された複数の機器に水または温水を供給するための配管を有する給水システムおよび給湯システムと、複数の機器にて使用された水または温水を住宅の外へ排出するための配管を有する排水システムと、複数の機器により使用された後の水または温水に対して浄化処理を行う第１浄化ユニット１５Ｂ，第２浄化ユニット２５Ｂ（浄化処理部）と、浄化処理がなされた浄化水または浄化温水を一時的に貯めておく共用貯水タンク１７Ｂ（貯水部）と、共用貯水タンク１７Ｂを介して給水システムおよび給湯システムへ浄化処理がなされた水または温水を供給するパイプ１８Ｂ，１９Ｂ，２８Ｂ（循環部）と、第１浄化ユニット１５Ｂ，第２浄化ユニット２５Ｂの浄化処理の際に所定のレベルで浄化がなされなかった水または温水を排水システムに供給する排水用流路４７Ｂ，９７Ｂ（排出部）を有する浄化循環システム３００Ｂを有するように構成したので、たとえば家庭内のキッチン、バス・シャワーなどで一度使用された水や温水の熱を効率的に再利用させることができる。
【００５６】
また、キッチンシステム１０Ｂ、バス・シャワーシステム２０Ｂ、トイレシステム３０Ｂの給水システムおよび給湯システムを少なくとも備えた浄化循環システム３００Ｂであって、キッチンシステム１０Ｂに水を供給する水供給部１１Ｂ（キッチンシステム用水供給部）と、キッチンシステム１０Ｂで使用された水を排出する排水トラップ部１３Ｂ（キッチンシステム使用水排出部）と、排水トラップ部１３Ｂにより排出された水を第１の所定のレベルまで浄化する第１浄化ユニット１５Ｂ（キッチンシステム用水浄化部）と、第１浄化ユニット１５Ｂにより浄化された水を貯めておく共用貯水タンク１７Ｂ（第１の貯水部）と、共用貯水タンク１７Ｂに貯めてある水を水供給部１１Ｂへ搬送して循環させるパイプ１８Ｂ（キッチンシステム用浄化水循環部）と、バス・シャワーシステム２０Ｂへ水を供給する水供給部２１Ｂ（バス・シャワーシステム用水供給部）と、バス・シャワーシステム２０Ｂで使用された水を排出する水排出部２３Ｂ（バス・シャワーシステム使用水排出部）と、水排出部２３Ｂにより排出された水を第２の所定のレベルまで浄化する第２浄化ユニット２５Ｂ（バス・シャワーシステム用水浄化部）と、第２浄化ユニット２５Ｂにより浄化された水を第２の貯水部に貯めておき、その貯めてある水を水供給部２１Ｂ（バス・シャワーシステム用水供給部）へ搬送して循環させるパイプ１９Ｂ（バス・シャワーシステム用浄化水循環部）とを有し、第１の貯水部である共用貯水タンク１７Ｂが上述の第２の貯水部も兼ねているため、キッチンシステム１０Ｂにて一度使用された水や熱をキッチンシステム１０Ｂ内で浄化して効率的に循環させると共に、キッチンシステム１０Ｂおよびバス・シャワーシステム２０Ｂで使用して浄化した水は、キッチンシステム１０Ｂおよびバス・シャワーシステム２０Ｂで共用しつつ、再利用することができる。なお、浄化した水または温水を最終的にトイレシステム３０Ｂにて再利用することができる。
【００５７】
また、共用貯水タンク１７Ｂに搬送される前の水または温水であって、第１浄化ユニット１５Ｂまたは第２浄化ユニット２５Ｂにより浄化された後の水または温水を一時的に貯めておくと共に、水または温水が所定の量に達した場合に、排水することが可能な排水用流路４８Ｂを有している。
【００５８】
また、浄化循環システム３００Ｂは、水循環装置として捉えることが可能である。すなわち、水循環装置としての浄化循環システム３００Ｂは、建築物内に設置された複数の機器に水または温水を供給するための水供給部１１Ｂ，２１Ｂ（給水部および給湯部）から水または温水を供給するとともに、複数の機器にて使用された水または温水を住宅の外へ排出するための排水システム（汚水排出部）に水または温水を排出する水循環装置であって、複数の機器により使用された後の水または温水に対して浄化処理を行う第１浄化ユニット１５Ｂ，第２浄化ユニット２５Ｂ（浄化処理部）と、浄化処理がなされた水または温水を一時的に貯めておく共用貯水タンク１７Ｂ（貯水部）と、共用貯水タンク１７Ｂを介して水供給部１１Ｂ，２１Ｂへ浄化処理がなされた水または温水を供給するパイプ１８Ｂ，１９Ｂ（循環部）と、第１浄化ユニット１５Ｂ，第２浄化ユニット２５Ｂの浄化処理の際に所定のレベルで浄化がなされなかった水または温水を排水システム（汚水排出部）に供給する排水用流路４７Ｂ，９７Ｂ（排出部）とを有するので、たとえば家庭内のキッチン、バス・シャワーなどで一度使用された水や温水の熱を効率的に再利用させることができる。
【００５９】
また、建築物内に設置された複数の機器に水または温水を供給するための水供給部１１Ｂ，２１Ｂ（給水部および給湯部）から水または温水を供給するとともに、複数の機器にて使用された水または温水を住宅の外へ排出するための排水システム（排出部）に水または温水を排出する水循環装置であって、複数の機器により使用された後の水または温水に対して浄化処理を行う第１浄化ユニット１５Ｂ，第２浄化ユニット２５Ｂ（浄化処理部）と、第１浄化ユニット１５Ｂ，第２浄化ユニット２５Ｂにより浄化処理がなされた水または温水を一時的に貯めておく共用貯水タンク１７Ｂ（貯水部）と、共用貯水タンク１７Ｂを介して水供給部１１Ｂ，２１Ｂへ浄化処理がなされた水または温水を供給するパイプ１８Ｂ，１９Ｂ（循環部）と、第１浄化ユニット１５Ｂ，第２浄化ユニット２５Ｂの浄化処理の際に所定のレベルで浄化がなされなかった水または温水を排水システム（汚水排出部）に供給する排水用流路４７Ｂ，９７Ｂ（排出部）を有するので、たとえば家庭内のキッチン、バス・シャワーなどで一度使用された水や温水の熱を効率的に再利用させることができる。
【００６０】
また、水循環装置は、キッチンシステム１０Ｂ、バス・シャワーシステム２０Ｂ、トイレシステム３０Ｂの給水システムおよび給湯システムを少なくとも備え、キッチンシステム１０Ｂに水を供給する水供給部１１Ｂ（キッチンシステム用水供給部）と、バス・シャワーシステム２０Ｂへ水を供給する水供給部２１Ｂ（バス・シャワーシステム用水供給部）とを有する建築物に適用される水循環装置であって、キッチンシステム１０Ｂで使用された水を排出する排水トラップ部１３Ｂ（キッチンシステム使用水排出部）と、排水トラップ部１３Ｂにより排出された水を第１の所定のレベルまで浄化する第１浄化ユニット１５Ｂ（キッチンシステム用水浄化部）と、第１浄化ユニット１５Ｂにより浄化された水を貯めておく共用貯水タンク１７Ｂ（第１の貯水部）と、共用貯水タンク１７Ｂに貯めてある水を水供給部１１Ｂへ搬送して循環させるパイプ１８Ｂ（キッチンシステム用浄化水循環部）と、バス・シャワーシステム２０Ｂで使用された水を排出する水排出部２３Ｂ（バス・シャワーシステム使用水排出部）と、水排出部２３Ｂにより排出された水を第２の所定のレベルまで浄化する第２浄化ユニット２５Ｂ（バス・シャワーシステム用水浄化部）と、第２浄化ユニット２５Ｂにより浄化された水を貯めておく第２の貯水部としての共用貯水タンク１７Ｂと、の共用貯水タンク１７Ｂに貯めてある水を水供給部２１Ｂへ搬送して循環させるパイプ１９Ｂ（バス・シャワーシステム用浄化水循環部）とを有するようにしたので、たとえば家庭内のキッチン、バス・シャワーなどで一度使用された水や温水の熱を効率的に再利用させることができる。
【００６１】
また、本発明の水循環装置の循環方法は、建築物内に設置された複数の機器に水または温水を供給するための水供給部１１Ｂおよび水供給部２１Ｂ（給水部および給湯部）から水または温水を供給するとともに、複数の機器にて使用された水または温水を住宅の外へ排出するための排水トラップ部１３Ｂ（汚水排出部）に水または温水を排出する水循環装置の制御方法であって、複数の機器により使用された後の水または温水に対して浄化処理を行う浄化処理ステップと、浄化処理ステップにより浄化処理がなされた水または温水を共用貯水タンク１７Ｂ（貯水部）に一時的に貯めておく貯水ステップと、水供給部１１Ｂおよび水供給部２１Ｂ（給水部および給湯部）へ、貯水ステップを経た浄化処理がなされた水または温水を供給する循環ステップと、浄化処理ステップにおける浄化処理の際に所定の浄化レベルに満たなかった水または温水を排水システム（汚水排出部）に供給する排水用流路４７Ｂ，９７Ｂ（排出部）に供給する排出ステップとを有するので、たとえば家庭内のキッチン、バス・シャワーなどで一度使用された水や温水の熱を効率的に再利用させることができる。
【００６２】
また、本発明の水循環装置の制御方法は、キッチンシステム１０Ｂ、バス・シャワーシステム２０Ｂ、トイレシステム３０Ｂの給水システム・給湯システムを少なくとも備え、キッチンシステム１０Ｂに水を供給する水供給部１１Ｂ（キッチンシステム用水供給部）と、バス・シャワーシステム２０Ｂへ水を供給する水供給部２１Ｂ（バス・シャワーシステム用水供給部）とを有する建築物に適用される水循環装置の制御方法であって、キッチンシステム１０Ｂで使用された水を排出するキッチンシステム使用水排出ステップと、キッチンシステム使用水排出ステップにより排出された水を第１の所定のレベルまで浄化するキッチンシステム用水浄化ステップと、キッチンシステム用水浄化ステップにより浄化された水を第１の貯水部としての共用貯水タンク１７Ｂに貯めておく第１の貯水ステップと、第１の貯水部としての共用貯水タンク１７Ｂに貯めてある水を水供給部１１Ｂへ搬送して循環させるキッチンシステム用浄化水循環ステップと、バス・シャワーシステム２０Ｂで使用された水を排出するバス・シャワーシステム使用水排出ステップと、バス・シャワーシステム用水排出ステップにて排出された水を第２の所定のレベルまで浄化するバス・シャワーシステム用水浄化ステップと、バス・シャワーシステム用水浄化ステップにより浄化された水を第2の貯水部としての共用貯水タンク１７Ｂに貯めておく第２の貯水ステップと、第２の貯水部に貯めてある水をバス・シャワーシステム用水供給部へ搬送して循環させるバス・シャワーシステム用浄化水循環ステップとを有するので、たとえば家庭内のキッチン、バス・シャワーなどで一度使用された水や温水の熱を効率的に再利用させることができる。
【００６３】
（第３実施形態）
続いて、本発明の第３実施の形態について説明する。図１４は、本発明の第３実施の形態に係る循環システム１Ｃのうち、浄化循環システム３００Ｃを示す図である。図１５は、図１４に示すキッチンシステム１０Ｃ，バス・シャワーシステム２０Ｃ，トイレシステム３０Ｃそれぞれの関係を説明するための図である。図１６は、図１４に示したキッチンシステム１０Ｃ，バス・シャワーシステム２０Ｃ，トイレシステム３０Ｃの循環系にのみ着目した模式図である。
【００６４】
この住宅に組み込まれた循環システム１Ｃは、キッチンシステム１０Ｃ，バス・シャワーシステム２０Ｃ，トイレシステム３０Ｃを有している。なお、この循環システム１Ｃには、図１で説明した給水システム１００Ａと給湯システム１０１Ａと排水システム２００Ａと同様の給水システム（不図示）、給湯システム（不図示）と浄化循環システム３００Ｃとが含まれている。請求項の水循環装置の一例である浄化循環システム３００Ｃでは、キッチンシステム１０Ｃにて一度使用された水や熱は再びキッチンシステム１０Ｃ内で循環させると共に、バス・シャワーシステム２０Ｃにて一度使用された水や熱は再びバス・シャワーシステム２０Ｃ内で循環させる。すなわち、キッチンシステム１０Ｃとバス・シャワーシステム２０Ｃ間ではそれぞれのシステム内で浄化した水および温水を他方のシステムへ循環させる経路を有していない構成となっている。さらに、キッチンシステム１０Ｃおよびバス・シャワーシステム２０Ｃで使用された後に浄化された水または温水は、最終的にトイレシステム３０Ｃにて再利用することができる。
【００６５】
（キッチンシステム１０Ｃおよび第１貯水タンク１７Ｃの説明）
まず、キッチンシステム１０Ｃおよび第１貯水タンク１７Ｃについて説明する。キッチンシステム１０Ｃは、水供給部１１Ｃと、キッチン部１２Ｃと、排水トラップ部１３Ｃと、第１貯排水タンク部１４Ｃと、第１浄化ユニット１５Ｃと、パイプ１６Ｃとを有している。また、このキッチンシステム１０Ｃは第１貯水タンク１７Ｃと接続されている。この第１貯水タンク１７Ｃには第１浄化ユニット１５Ｃにより浄化された水を貯めることができる。なお、水供給部１１Ｃ、キッチン部１２Ｃ、排水トラップ部１３Ｃ、第１貯排水タンク部１４Ｃ、第１浄化ユニット１５Ｃ、パイプ１６Ｃは、上述したキッチンシステム１０Ａ，１０Ｂにおける水供給部１１Ａ,１１Ｂ、キッチン部１２Ａ，１２Ｂ、排水トラップ部１３Ａ，１３Ｂ、第１貯排水タンク部１４Ａ，１４Ｂ、第１浄化ユニット１５Ａ,１５Ｂ、パイプ１６Ａ，１６Ｂと同様の機能、構成であるため、これらの説明を省略する。
【００６６】
第１貯水タンク１７Ｃは、一時的に浄化水を貯めておく容器である。第１貯水タンク１７Ｃは、パイプ１８Ｃにより、キッチンシステム１０Ｃにて循環利用させるか、パイプ１９Ｃにより、後述のトイレシステム３０Ｃにて再利用される。第１貯水タンク１７Ｃには、床下に固定するための金具、温度調整のためのヒーター、各種センサ、水を搬送するための動力源などを備えている。
【００６７】
このキッチンシステム１０Ｃでは、第１浄化ユニット１５Ｃにより、給水システム・給湯システムから供給される水道水の品質と同等、またはそれ以上の品質レベルで浄化し、第１貯水タンク１７Ｃへ一時的に貯めることができる。そして、第１貯水タンク１７Ｃ内の浄化水は、不図示のポンプにより水供給部１１Ｃに搬送することができる。キッチンシステム１０Ｃでは給水システム・給湯システムから提供される水道水、または第１貯水タンク１７Ｃから供給される浄化水を利用することができる。
【００６８】
（バス・シャワーシステム２０Ｃおよび第２貯水タンク２７Ｃの説明）
続いて、バス・シャワーシステム２０Ｃおよび第２貯水タンク２７Ｃについて説明する。バス・シャワーシステム２０Ｃは、水供給部２１Ｃと、バス・シャワー部２２Ｃと、水排出部２３Ｃと、第２貯排水タンク部２４Ｃと、第２浄化ユニット２５Ｃと、パイプ２６Ｃとを有している。また、このバス・シャワーシステム２０Ｃは第２貯水タンク２７Ｃと接続されている。この第２貯水タンク２７Ｃには第２浄化ユニット２５Ｃにより浄化された水を一時的に貯めることができる。なお、水供給部２１Ｃと、バス・シャワー部２２Ｃと、水排出部２３Ｃと、第２貯排水タンク部２４Ｃと、第２浄化ユニット２５Ｃと、パイプ２６Ｃは、上述したバス・シャワーシステム２０Ａ，２０Ｂにおける水供給部２１Ａ，２１Ｂと、バス・シャワー部２２Ａ，２２Ｂと、水排出部２３Ａ，２３Ｂと、第２貯排水タンク部２４Ａ，２４Ｂと、第２浄化ユニット２５Ａ，２５Ｂと、パイプ２６Ａ，Ｂと同様の機能、構成であるため、これらの説明を省略する。
【００６９】
第２貯水タンク２７Ｃは、第２浄化ユニット２５Ｃにより浄化され、パイプ２６Ｃを介して供給された水を一時的に貯めることができる。第２貯水タンク２７Ｃには、床下に固定するための金具、温度調整のためのヒーター、各種センサ、水を搬送するための動力源などが備えられている。パイプ２８Ｃは、第２貯水タンク２７Ｃに一時的に貯めてある浄化水を後述のトイレシステム３０Ｃへと供給する。パイプ２９Ｃは、第２貯水タンク２７Ｃに一時的に貯めてある浄化水を水供給部２１Ｃへ搬送して循環させる。
【００７０】
このバス・シャワーシステム２０Ｃでは、給水システム・給湯システムから供給される水道水と、第１貯水タンク１７Ｃから供給される浄化水を使用することができる。バス・シャワーシステム２０Ｃで使用された水または温水は、給水システム・給湯システムから供給される水道水の品質と同等、またはそれ以上の品質レベルで浄化し、第２貯水タンク２７Ｃへ一時的に貯める。第２貯水タンク２７Ｃ内の浄化水は、不図示のポンプにより水供給部３１Ｃに搬送される。トイレシステム３０Ｃでは、給水システム・給湯システムから提供される水道水、または第２貯水タンク２７Ｃから搬送される浄化水が利用される。
【００７１】
（トイレシステム３０Ｃの説明）
最後にトイレシステム３０Ｃについて説明する。トイレシステム３０Ｃは、水供給部３１Ｃと、水排出部３２Ｃと排水管３３Ｃとを有している。このトイレシステム３０Ｃには、給水システム・給湯システムから提供される水道水のほか、第１貯水タンク１７Ｃの浄化水、第２貯水タンク２７Ｃの浄化水を利用することができる。なお、水供給部３１Ｃと水排出部３２Ｃと排水管３３Ｃは、上述したトイレシステム３０Ａ，３０Ｂの水供給部３１Ａ，３１Ｂと水排出部３２Ａ，３２Ｂと排水管３３Ａ，３３Ｂと同様の機能、構成であるため、説明を省略する。
【００７２】
このトイレシステム３０Ｃでは、給水システム・給湯システムから供給される水道水と、第１貯水タンク１７Ｃの浄化水、第２貯水タンク２７Ｃの浄化水を利用することができる。トイレシステム３０Ｃで使用された水は、排水システム２００Ｃに供給されて、排水として排出される。なお、このトイレシステム３０Ｃの水供給部３１Ｃへは、水道水を供給するようにしているが、水道水は供給せずに、第１貯水タンク１７Ｃの浄化水、第２貯水タンクの浄化水で賄うようにしてもよい。または、水道水と、浄化水または、水道水と浄化水と組み合わせで構成されるようにしてもよい。
【００７３】
（第３実施形態の効果）
以上で、説明したように、循環システム１Ｃは、住宅内に設置された複数の機器に水または温水を供給するための配管を有する給水システムおよび給湯システムと、複数の機器にて使用された水または温水を住宅の外へ排出するための配管を有する排水システムと、複数の機器により使用された後の水または温水に対して浄化処理を行う第１浄化ユニット１５Ｂ，第２浄化ユニット２５Ｂ（浄化処理部）と、浄化処理がなされた浄化水または浄化温水を一時的に各機器で使用された水または温水毎にそれぞれ貯めておく第１貯水タンク１７Ｃ、第２貯水タンク２７Ｃ（貯水部）と、第１貯水タンク１７Ｃ、第２貯水タンク２７Ｃを介して給水システムおよび給湯システムへ浄化処理がなされた水または温水をそれぞれに供給するパイプ１８Ｃ，２９Ｃ（循環部）と、第１浄化ユニット１５Ｃ，第２浄化ユニット２５Ｃの浄化処理の際に所定のレベルで浄化がなされなかった水または温水を排水システムにそれぞれに供給する排水用流路４７Ｃ，９７Ｃ（排出部）を有する浄化循環システム３００Ｃを有するように構成したので、たとえばキッチンシステム１０Ｃにて一度使用された水や熱は第１貯水タンク１７Ｃを介して再びキッチンシステム１０Ｃ内で循環すると共に、バス・シャワーシステム２０Ｃにて一度使用された水や熱は第２貯水タンク２７Ｃを介して再びバス・シャワーシステム２０Ｃ内で循環する。さらに、キッチンシステム１０Ｃおよびバス・シャワーシステム２０Ｃで使用された後に浄化された水または温水は、最終的にトイレシステム３０Ｃにて再利用することができる。
【００７４】
また、キッチンシステム１０Ｃ、バス・シャワーシステム２０Ｃ、トイレシステム３０Ｃの給水システムおよび給湯システムを少なくとも備えた浄化循環システム３００Ｃであって、キッチンシステム１０Ｃに水を供給する水供給部１１Ｃ（キッチンシステム用水供給部）と、キッチンシステム１０Ｃで使用された水を排出する排水トラップ部１３Ｃ（キッチンシステム使用水排出部）と、排水トラップ部１３Ｃにより排出された水を第１の所定のレベルまで浄化する第１浄化ユニット１５Ｃ（キッチンシステム用水浄化部）と、第１浄化ユニット１５Ｃにより浄化された水を貯めておく第１貯水タンク１７Ｃ（第１の貯水部）と、第１貯水タンク１７Ｃに貯めてある水を水供給部１１Ｃへ搬送して循環させるパイプ１８Ｃ（キッチンシステム用浄化水循環部）と、バス・シャワーシステム２０Ｃへ水を供給する水供給部２１Ｃ（バス・シャワーシステム用水供給部）と、バス・シャワーシステム２０Ｃで使用された水を排出する水排出部２３Ｃ（バス・シャワーシステム使用水排出部）と、水排出部２３Ｃにより排出された水を第２の所定のレベルまで浄化する第２浄化ユニット２５Ｃ（バス・シャワーシステム用水浄化部）と、第２浄化ユニット２５Ｃにより浄化された水を第２の貯水部に貯めておき、その貯めてある水を水供給部２１Ｃ（バス・シャワーシステム用水供給部）へ搬送して循環させるパイプ１９Ｃ（バス・シャワーシステム用浄化水循環部）とを有し、第１貯水タンク１７Ｃ（第１の貯水部）と第２貯水タンク２７Ｃ（第２の貯水部）とは物理的に異なる容器により構成されると共に、第１貯水タンク１７Ｃ内の浄化された水は、キッチンシステム１０Ｃ用およびトイレシステム３０Ｃにて使用され、第２貯水タンク２７Ｃ内の浄化された水は、バス・シャワーシステム２０Ｃ、およびトイレシステム３０Ｃにて使用されるように構成したので、キッチンならキッチン用、バス・シャワーならバス・シャワー用と、各々のシステムでのみ循環させることが可能となる。これはユーザーの水の再利用に対する心理的な抵抗を払拭させることができる。たとえば、キッチンシステム１０Ｃで使用した水はキッチンで再利用し、バス・シャワーで利用した水はバス・シャワーで再利用することになるので、他のシステムで使用した水を使いたくないと考えるユーザーにとっては好ましい構成となる。また、同じシステム内で再利用させる方が、複数のシステム間での水量の需要と供給のバランスを制御する方法と比較すると簡単に実現させることができる。
【００７５】
また、第１貯水タンク１７Ｃは、第１浄化ユニット１５Ｃにより浄化された後の水または温水を一時的に溜めておくと共に、水または温水が所定の量に達した場合に、排水することが可能な排水流路４９Ｃ（第１の排水流路部）を有しているので、第１貯水タンク１７Ｃが満杯になって、汚水がキッチンへ逆流してしまうことを効果的に防止することができる。
【００７６】
また、第２貯水タンク２７Ｃは、第２浄化ユニットにより浄化された後の水または温水を一時的に溜めておくと共に、水または温水が所定の量に達した場合に、排水することが可能な排水流路４８Ｃ（第２の排水流路部）を有しているので、第２貯水タンク２７Ｃが満杯になって、汚水がバス・シャワーのある浴室へ逆流してしまうことを効果的に防止することができる。
【００７７】
また、建築物内に設置された複数の機器に水または温水を供給するための水供給部１１Ｃ，２１Ｃ（給水部および給湯部）から水または温水を供給するとともに、複数の機器にて使用された水または温水を住宅の外へ排出するための排水システム（排出部）に水または温水を排出する水循環装置であって、複数の機器により使用された後の水または温水に対して浄化処理を行う第１浄化ユニット１５Ｃ，第２浄化ユニット２５Ｃ（浄化処理部）と、第１浄化ユニット１５Ｃ，第２浄化ユニット２５Ｃにより浄化処理がなされた水または温水を一時的に各機器で使用された水または温水毎にそれぞれ貯めておく第１貯水タンク１７Ｃ、第２貯水タンク２７Ｃ（貯水部）と、第１貯水タンク１７Ｃ、第２貯水タンク２７Ｃを介して水供給部１１Ｃ，２１Ｃへ浄化処理がなされた水または温水をそれぞれ供給するパイプ１８Ｃ，２９Ｃ（循環部）と、第１浄化ユニット１５Ｃ，第２浄化ユニット２５Ｃの浄化処理の際に所定のレベルで浄化がなされなかった水または温水を排水システム（汚水排出部）にそれぞれ供給する排水用流路４７Ｃ，９７Ｃ（排出部）を有するので、たとえば、キッチンならキッチン用、バス・シャワーならバス・シャワー用と、各々のシステムでのみ循環させることが可能となる。
【００７８】
また、本発明の水循環装置の循環方法は、建築物内に設置された複数の機器に水または温水を供給するための水供給部１１Ｃおよび水供給部２１Ｃ（給水部および給湯部）から水または温水を供給するとともに、複数の機器にて使用された水または温水を住宅の外へ排出するための排水トラップ部１３Ｃ（汚水排出部）に水または温水を排出する水循環装置の制御方法であって、複数の機器により使用された後の水または温水に対して浄化処理を行う浄化処理ステップと、浄化処理ステップにより浄化処理がなされた水または温水を第１貯水タンク１７Ｃ，第２貯水タンク２７Ｃ（貯水部）に一時的に各機器で使用された水または温水毎にそれぞれ貯めておく貯水ステップと、水供給部１１Ｃおよび水供給部２１Ｃ（給水部および給湯部）へ、貯水ステップを経た浄化処理がなされた水または温水をそれぞれ供給する循環ステップと、浄化処理ステップにおける浄化処理の際に所定の浄化レベルに満たなかった水または温水を排水システム（汚水排出部）に供給する排水用流路４７Ｃ，９７Ｃ（排出部）にそれぞれ供給する排出ステップとを有するので、たとえば、キッチンならキッチン用、バス・シャワーならバス・シャワー用と、各々のシステムでのみ循環させることが可能となる。
【００７９】
（循環して再利用水への心理的な抵抗に対する工夫）
上述したように、循環方法や構成によっても浄化水の再利用に対して心理的な抵抗を極力生じさせないように工夫をしているが、更に次の述べるような工夫を施してもよい。
【００８０】
たとえば、キッチン部１２Ａ，１２Ｂ，１２Ｃ、バス・シャワー部２２Ａ，２２Ｂ，２２Ｃなどで使用した水を排出する際に、次回再利用する先をユーザーが自ら選択できる機能を有するようにしてもよい。たとえば、バス・シャワー部２２Ａ，２２Ｂ，２２Ｃで利用した水は不図示の洗濯機で再利用させる、キッチン部１２Ａ，１２Ｂ，１２Ｃで利用した水は、バス・シャワー部２２Ａ，２２Ｂ，２２Ｃで再利用させるなどである。個人の価値観、民族の価値観、宗教上の価値観などによって水の再利用に抵抗を感じる程度が異なるため、自ら再利用先を選択できるようにすることでユーザーの感覚に応じた循環システムとすることができる。
【００８１】
また、現在、排出した水の残留物の数値（ＴＯＤ）、温度を表示、貯水タンク内の残留物の数値（ＴＯＤ）、温度を表示させる機能を有していてもよい。これにより、利用者にとって心理的な抵抗があっても、実際の数値をその場で呈示することで安心感が生まれ、循環、再利用しやすい状況になる。
【００８２】
以上、本発明の実施形態として循環システム１Ａ，１Ｂ,１Ｃを例として説明したが、種々の変形が可能である。たとえば、循環システム１Ａ，１Ｂ,１Ｃにおいては、キッチン、バス、シャワー、トイレにおける循環システムとしたが、これ以外の機器、たとえば洗濯機への給水システム、排水システムなども組み込んだ循環システムとしてもよい。また、本発明の循環システムを適用するにあたって、必ずしもキッチン、バス、シャワーの全部を汲み込んだものとしなくてもよい。
【符号の説明】
【００８３】
１Ａ，１Ｂ，１Ｃ：循環システム、１０Ａ，１０Ｂ，１０Ｃ：キッチンシステム、１１Ａ，１１Ｂ，１１Ｃ：水供給部、１２Ａ，１２Ｂ，１２Ｃ：キッチン部、１３Ａ，１３Ｂ，１３Ｃ：排水トラップ部、１４Ａ，１４Ｂ，１４Ｃ：第１貯排水タンク部、１５Ａ，１５Ｂ，１５Ｃ：第１浄化ユニット、１６Ａ，１６Ｂ、１６Ｃ：パイプ、１７Ａ，１７Ｃ：第１貯水タンク，１７Ｂ：共用貯水タンク、１８Ａ，１８Ｂ，１８Ｃ：パイプ、１９Ａ，１９Ｂ，１９Ｃ：パイプ，２０Ａ，２０Ｂ，２０Ｃ：シャワーシステム、２１Ａ，２１Ｂ，２１Ｃ：水供給部、２２Ａ，２２Ｂ，２２Ｃ：シャワー部、２３Ａ，２３Ｂ，２３Ｃ：水排出部、２４Ａ，２４Ｂ，２４Ｃ：第２貯排水タンク部、２５Ａ，２５Ｂ，２５Ｃ：第２浄化ユニット、２６Ａ，２６Ｂ，２６Ｃ：パイプ、２７Ａ，２７Ｃ：第２貯水タンク、２８Ｂ，２８Ｃ：パイプ、２９Ｃ：パイプ、３０Ａ，３０Ｂ，３０Ｃ：トイレシステム、３１Ａ，３１Ｂ，３１Ｃ：水供給部，３２Ａ，３２Ｂ，３２Ｃ：水排出部、３３Ａ，３３Ｂ，３３Ｃ：排水管、４０：給湯器、４２Ａ：排水溝、４３Ａ：排水管、４５Ａ：排水用流路、４６Ａ：浄化水用流路、４７Ａ：排水用流路、８１：カートリッジ、８２：不織布フィルタユニット、８３：活性炭フィルタユニット、８４：逆浸透膜フィルタユニット、８５：中心部、９１：シャワー、９２：排水溝、９３：排水管、９４：浄化カートリッジ、９５：循環用配管、１００Ａ：給水システム、１０１Ａ：給湯システム、２００Ａ：排水システム、３００Ａ，３００Ｂ，３００Ｃ：浄化循環システム（水循環装置の一例）
【図１】
2018015750.tif 000003
【図２】
2018015750.tif 000004
【図３】
2018015750.tif 000005
【図４】
2018015750.tif 000006
【図５】
2018015750.tif 000007
【図６】
2018015750.tif 000008
【図７】
2018015750.tif 000009
【図８】
2018015750.tif 000010
【図９】
2018015750.tif 000011
【図１０】
2018015750.tif 000012
【図１１】
2018015750.tif 000013
【図１２】
2018015750.tif 000014
【図１３】
2018015750.tif 000015
【図１４】
2018015750.tif 000016
【図１５】
2018015750.tif 000017
【図１６】
2018015750.tif 000018